(57)【要約】【課題】液滴吐出ヘッドのノズル面の結露を抑制する。【解決手段】記録媒体Ｐを搬送する搬送手段５２と、搬送手段５２で搬送される記録媒体Ｐに液滴を吐出する液滴吐出ヘッド５６Ｍ，５６Ｋ，５６Ｃ，５６Ｙと、搬送手段５２に設けられ、搬送手段５２の搬送面５２Ａとノズル面５６Ｍｎ，５６Ｋｎ，５６Ｃｎ，５６Ｙｎの間の空気を除湿する除湿手段８６と、を有する画像形成装置。【選択図】図２
2014100891.tif 000002
【特許請求の範囲】
【請求項１】
記録媒体を搬送する搬送手段と、
前記搬送手段で搬送される記録媒体に液滴を吐出する液滴吐出ヘッドと、
前記搬送手段に設けられ、前記搬送手段の搬送面と前記液滴吐出ヘッドの吐出面の間の空気を除湿する除湿手段と、
を有する画像形成装置。
【請求項２】
前記搬送手段は、前記記録媒体を保持して回転する搬送体であり、
前記除湿手段は、前記搬送体と共に回転する、
請求項１に記載の画像形成装置。
【請求項３】
前記除湿手段は、前記搬送体における前記記録媒体の保持領域外に設けられ、前記液滴吐出ヘッドの吐出面に風を吹き付ける送風装置である、
請求項２に記載の画像形成装置。
【請求項４】
前記搬送体は、前記記録媒体の先端をグリッパで把持して前記記録媒体を回転搬送する回転ドラムであり、
前記送風装置は、前記回転ドラムの前記グリッパが設けられた凹部内に配置されている、
請求項３に記載の画像形成装置。
【請求項５】
前記除湿手段は、前記搬送体における前記記録媒体の保持領域外にそれぞれ設けられた、冷却板と前記冷却板を冷却する冷風装置とを含む、
請求項２に記載の画像形成装置。
【請求項６】
前記冷却板に結露した水分を吸水する吸水部材を有する、
請求項５に記載の画像形成装置。
【請求項７】
前記除湿部材は、前記搬送体と共に回転して前記搬送面と前記吐出面の間の空気を掻き出すフィンを含む、
請求項２〜請求項６の何れか１項に記載の画像形成装置。
【請求項８】
前記搬送手段は、前記液滴吐出ヘッドの下方を回転移動する無端状搬送機構と、前記無端状搬送機構の外面に設けられ、前記記録媒体を保持して搬送する複数の搬送テーブルと、を含み、
前記除湿手段は、前記液滴吐出ヘッドと対向して前記無端状搬送機構の内側に固定され、前記搬送テーブルの間から前記液滴吐出ヘッドの吐出面に風を吹き付ける送風装置である、
請求項１に記載の画像形成装置。
【発明の詳細な説明】
【技術分野】
【０００１】
本発明は、画像形成装置に関する。
【背景技術】
【０００２】
従来から、多数のノズルを配列させた液滴吐出ヘッドに対して用紙を搬送し、ノズルから用紙に向けて液滴を吐出することにより、用紙上に画像を形成する液滴吐出記録方式の画像形成装置が知られている。
【０００３】
このような液滴吐出記録方式の画像形成装置では、装置内の湿気によって液滴吐出ヘッドのノズル面が結露して、液滴の吐出状態が変化することがある。
【０００４】
そこで、特許文献１には、用紙の搬送面と対向する液滴吐出ヘッドの両端部に結露用の冷却面を設けることで、液滴吐出ヘッド周囲の水分を冷却面で結露させ、液滴吐出ヘッドのノズル面の結露を抑制する画像形成装置が開示されている。
【０００５】
また、特許文献２には、液滴吐出ヘッドの側面に斜め下向きに傾けた送風装置を設けることで、液滴吐出ヘッドの下方に風を送り、液滴吐出ヘッドのノズル面の結露を抑制する画像形成装置が開示されている。
【先行技術文献】
【特許文献】
【０００６】
【特許文献１】特開２０１０−２７４５９２号公報
【特許文献２】特開２００５−２１２３２３号公報
【発明の概要】
【発明が解決しようとする課題】
【０００７】
しかしながら、特許文献１の構成では、冷却面が液滴吐出ヘッドの両端部に設けられているため、搬送面と液滴吐出ヘッドのノズル面の間の空気は除湿できない。搬送面と液滴吐出ヘッドの間は、液滴の吐出直後に蒸発した水分が留まるので、空気の湿度が高くなり、液滴吐出ヘッドのノズル面に結露が発生してしまう。
【０００８】
また、特許文献２の構成でも、送風装置が液滴吐出ヘッドの側面に設けられているため、液滴吐出ヘッドのノズル面に風が十分に行き渡らず、ノズル面の結露を抑制できない。
【０００９】
本発明は上記事情に鑑みてなされたものであり、液滴吐出ヘッドのノズル面の結露を抑制する画像形成装置を提供することを目的とする。
【課題を解決するための手段】
【００１０】
本発明の第１態様に係る画像形成装置は、記録媒体を搬送する搬送手段と、前記搬送手段で搬送される記録媒体に液滴を吐出する液滴吐出ヘッドと、前記搬送手段に設けられ、前記搬送手段の搬送面と前記液滴吐出ヘッドの吐出面の間の空気を除湿する除湿手段と、を有する。
【００１１】
この構成によれば、除湿手段が搬送手段に設けられているため、除湿手段は液滴吐出ヘッドの吐出面と対向するようになる。これにより、除湿手段は、搬送手段の搬送面との吐出面の間の空気を十分に除湿でき、液滴吐出ヘッドの吐出面の結露を抑制することができる。
【００１２】
本発明の第２態様に係る画像形成装置では、第１態様において、前記搬送手段は、前記記録媒体を保持して回転する搬送体であり、前記除湿手段は、前記搬送体と共に回転する。
【００１３】
この構成によれば、除湿手段が搬送体と共に回転するため、液滴吐出ヘッドの吐出面の下方を除湿手段が行き来する。これにより、除湿手段の除湿動作のオン／オフ制御を切り替えることなく、搬送面と吐出面の間の除湿のオン／オフを行うことができ、常に除湿を行うことによる吐出面の過乾燥を抑制できる。
【００１４】
本発明の第３態様に係る画像形成装置では、第２態様において、前記除湿手段は、前記搬送体における前記記録媒体の保持領域外に設けられ、前記液滴吐出ヘッドの吐出面に風を吹き付ける送風装置である。
【００１５】
この構成によれば、送風装置が搬送体における記録媒体の保持領域外に設けられているため、液滴吐出ヘッドから記録媒体に液滴が吐出されない間に、送風装置が回転により液滴吐出ヘッドに対向してこの吐出面に風を吹き付ける。そして、液滴吐出ヘッドから記録媒体に液滴が吐出されている間は、送風装置が液滴吐出ヘッドに対向せず、この吐出面に風を吹き付けないため、風によって液滴の記録媒体へ着弾位置が乱れることを抑制できる。
【００１６】
本発明の第４態様に係る画像形成装置では、第３態様において、前記搬送体は、前記記録媒体の先端をグリッパで把持して前記記録媒体を回転搬送する回転ドラムであり、前記送風装置は、前記回転ドラムの前記グリッパが設けられた凹部内に配置されている。
【００１７】
この構成によれば、送風装置が、回転ドラムの凹部内に配置されているため、送風装置が回転ドラムの回転の邪魔となることを防止できる。また、この凹部は、グリッパが設けられるためのものであるため、送風装置用に新たに凹部を形成する必要がない。
【００１８】
本発明の第５態様に係る画像形成装置では、第２態様において、前記除湿手段は、前記搬送体における前記記録媒体の保持領域外にそれぞれ設けられた、冷却板と前記冷却板を冷却する冷風装置とを含む。
【００１９】
この構成によれば、冷風装置により冷却された冷却板に、搬送手段の搬送面と吐出面の間の空気中の水分を結露させることができる。
【００２０】
本発明の第６態様に係る画像形成装置では、第５態様において、前記冷却板に結露した水分を吸水する吸水部材を有する。
【００２１】
この構成によれば、冷却板に結露した水分が、冷却板の回転によって吸水部材に向かって移動し、吸水部材によって吸水される。
【００２２】
本発明の第７態様に係る画像形成装置では、第２態様〜第６態様の何れか１つの態様において、前記除湿部材は、前記搬送体と共に回転して前記搬送面と前記吐出面の間の空気を掻き出すフィンを含む。
【００２３】
この構成によれば、搬送体と共に回転して搬送面と吐出面の間の空気をフィンで掻き出すため、除湿部材の動力源を備えなくても、当該空気を除湿することができる。
【００２４】
本発明の第８態様に係る画像形成装置では、第１態様において、前記搬送手段は、前記液滴吐出ヘッドの下方を回転移動する無端状搬送機構と、前記無端状搬送機構の外面に設けられ、前記記録媒体を保持して搬送する複数の搬送テーブルと、を含み、前記除湿手段は、前記液滴吐出ヘッドと対向して前記無端状搬送機構の内側に固定され、前記搬送テーブルの間から前記液滴吐出ヘッドの吐出面に風を吹き付ける送風装置である。
【００２５】
この構成によれば、搬送機構の内側に固定された送風装置が、無端状搬送機構と共に回転移動する搬送テーブルの間から、液滴吐出ヘッドの吐出面に風を吹き付けることで、無端状搬送機構と液滴吐出ヘッドの吐出面の間の空気を除湿することができる。そして、搬送テーブルが無端状搬送機構と吐出面の間にあるとき、すなわち液滴吐出ヘッドから記録媒体に液滴が吐出されている間は、送風装置による風が搬送テーブルにより遮られるため、吐出面にまで風を吹き付けられない。したがって、風によって液滴の記録媒体への着弾位置が乱れたりすることを抑制できる。
【発明の効果】
【００２６】
本発明によれば、液滴吐出ヘッドのノズル面の結露を抑制することができる。
【図面の簡単な説明】
【００２７】
【図１】本発明の第１実施形態に係る画像形成装置の一例としてのインクジェット記録装置の全体構成を垂直面で切断した概略側面図である。
【図２】図１に示す画像記録ドラムを垂直面で切断した側面拡大図である。
【図３】図２に示す矢印Ａ方向から見た画像記録ドラムの斜視図である。
【図４】（Ａ）〜（Ｆ）は、本発明の第１実施形態に係るインクジェット記録装置の作用について、図１に示す画像記録ドラムを垂直面で切断した側面拡大図を用いて説明する一連の説明図である。
【図５】本発明の第２実施形態に係るインクジェット記録装置の画像記録ドラムの斜視図である。
【図６】（Ａ）は、本発明の第３実施形態に係るインクジェット記録装置の画像記録ドラムの一部を切り欠いた斜視図である。（Ｂ）は、本発明の第３実施形態に係るインクジェット記録装置の画像記録ドラムの側面断面図である。
【図７】本発明の第４実施形態に係るインクジェット記録装置の画像記録ドラムの斜視図である。
【図８】本発明の第５実施形態に係るインクジェット記録装置の概略を示す側面図である。
【発明を実施するための形態】
【００２８】
（第１実施形態）
以下、添付の図面を参照しながら、本発明の第１実施形態に係る画像形成装置について具体的に説明する。なお、全図を通して、同一又は対応する機能を有する部材（構成要素）には同じ符号を付して適宜説明を省略する。
【００２９】
−−全体構成−−
図１は、本発明の第１実施形態に係る画像形成装置の一例としてのインクジェット記録装置の全体構成を垂直面で切断した概略側面図である。
【００３０】
図１に示すように、インクジェット記録装置１０は、枚葉の用紙（記録媒体）Ｐに水性ＵＶインク（水性媒体を使用したＵＶ（紫外線）硬化型のインク）を用いてインクジェット方式で画像を記録する記録装置である。
このインクジェット記録装置１０は、主として、用紙Ｐを給紙する給紙部１２と、給紙部１２から給紙された用紙Ｐの表面（画像記録面）に所定の処理液を付与する処理液付与部１４と、処理液付与部１４で処理液が付与された用紙Ｐの乾燥処理を行う処理液乾燥処理部１６と、処理液乾燥処理部１６で乾燥処理が施された用紙Ｐの表面に水性ＵＶインクを用いてインクジェット方式で画像を記録する画像記録部１１８と、画像記録部１１８で画像が記録された用紙Ｐの乾燥処理を行うインク乾燥処理部２０と、用紙ＰにＵＶ照射処理（定着処理）を行って画像を定着させるＵＶ照射処理部２２と、ＵＶ照射処理部２２でＵＶ照射処理された用紙Ｐを排紙する排紙部２４と、を備えている。
【００３１】
〈給紙部〉
給紙部１２は、給紙台３０に積載された用紙Ｐを１枚ずつ処理液付与部１４に給紙する。給紙手段の一例としての給紙部１２は、主として、給紙台３０と、サッカー装置３２と、給紙ローラ対３４と、フィーダボード３６と、前当て３８と、給紙ドラム４０とで構成される。
【００３２】
用紙Ｐは、多数枚が積層された束の状態で給紙台３０に載置される。給紙台３０は、図示しない給紙台昇降装置によって昇降可能に設けられる。給紙台昇降装置は、給紙台３０に積載された用紙Ｐの増減に連動して、その駆動が制御され、束の最上位に位置する用紙Ｐが常に一定の高さに位置するように、給紙台３０を昇降させる。
【００３３】
記録媒体としての用紙Ｐは、特に限定されないが、一般のオフセット印刷などで使用される汎用の印刷用紙（いわゆる上質紙、コート紙、アート紙などのセルロースを主体とする用紙）を用いることができる。
【００３４】
サッカー装置３２は、給紙台３０に積載されている用紙Ｐを上から順に１枚ずつ取り上げて、給紙ローラ対３４に給紙する。サッカー装置３２は、昇降自在かつ揺動自在に設けられたサクションフット３２Ａを備え、このサクションフット３２Ａによって用紙Ｐの上面を吸着保持して、用紙Ｐを給紙台３０から給紙ローラ対３４に移送する。この際、サクションフット３２Ａは、束の最上位に位置する用紙Ｐの先端側の上面を吸着保持して、用紙Ｐを引き上げ、引き上げた用紙Ｐの先端を給紙ローラ対３４を構成する一対のローラ３４Ａ、３４Ｂの間に挿入する。
【００３５】
給紙ローラ対３４は、互いに押圧当接された上下一対のローラ３４Ａ、３４Ｂで構成される。上下一対のローラ３４Ａ、３４Ｂは、一方が駆動ローラ（ローラ３４Ａ）、他方が従動ローラ（ローラ３４Ｂ）とされ、駆動ローラ（ローラ３４Ａ）は、図示しないモータに駆動されて回転する。モータは、用紙Ｐの給紙に連動して駆動され、サッカー装置３２から用紙Ｐが給紙されると、そのタイミングに合わせて駆動ローラ（ローラ３４Ａ）を回転させる。上下一対のローラ３４Ａ、３４Ｂの間に挿入された用紙Ｐは、このローラ３４Ａ、３４Ｂにニップされて、ローラ３４Ａ、３４Ｂの回転方向（フィーダボード３６の設置方向）に送り出される。
【００３６】
フィーダボード３６は、用紙幅に対応して形成され、給紙ローラ対３４から送り出された用紙Ｐを受けて、前当て３８までガイドする。このフィーダボード３６は、下方に向けて傾斜して設置され、その搬送面の上に載置された用紙Ｐを搬送面に沿って滑らせて前当て３８までガイドする。
【００３７】
フィーダボード３６には、用紙Ｐを搬送するためのテープフィーダ３６Ａが幅方向に間隔をおいて複数設置される。テープフィーダ３６Ａは、無端状に形成され、図示しないモータに駆動されて回転する。フィーダボード３６の搬送面に載置された用紙Ｐは、このテープフィーダ３６Ａによって送りが与えられて、フィーダボード３６の上を搬送される。
【００３８】
また、フィーダボード３６の上には、リテーナ３６Ｂとコロ３６Ｃとが設置される。
リテーナ３６Ｂは、用紙Ｐの搬送面に沿って前後に縦列して複数配置される（本例では２つ）。このリテーナ３６Ｂは、用紙幅に対応した幅を有する板バネで構成され、搬送面に押圧当接されて設置される。テープフィーダ３６Ａによってフィーダボード３６の上を搬送される用紙Ｐは、このリテーナ３６Ｂを通過することにより、凹凸が矯正される。
【００３９】
コロ３６Ｃは、前後のリテーナ３６Ｂの間に配設される。このコロ３６Ｃは、用紙Ｐの搬送面に押圧当接されて設置される。前後のリテーナ３６Ｂの間を搬送される用紙Ｐは、このコロ３６Ｃによって上面が抑えられながら搬送される。
【００４０】
前当て３８は、用紙Ｐの姿勢を矯正する。この前当て３８は、板状に形成され、用紙Ｐの搬送方向と直交して配置される。また、図示しないモータに駆動されて、揺動可能に設けられる。フィーダボード３６の上を搬送された用紙Ｐは、その先端が前当て３８に当接されて、姿勢が矯正される（いわゆる、スキュー防止）。前当て３８は、給紙ドラム４０への用紙の給紙に連動して揺動し、姿勢を矯正した用紙Ｐを給紙ドラム４０に受け渡す。
【００４１】
給紙ドラム４０は、前当て３８を介してフィーダボード３６から給紙される用紙Ｐを受け取り、処理液付与部１４へと搬送する。給紙ドラム４０は、円筒状に形成され、図示しないモータに駆動されて回転する。給紙ドラム４０の外周面上には、グリッパ４０Ａが備えられ、このグリッパ４０Ａによって用紙Ｐの先端が把持される。給紙ドラム４０は、グリッパ４０Ａによって用紙Ｐの先端を把持して回転することにより、用紙Ｐを外周面に巻き掛けながら、処理液付与部１４へと用紙Ｐを搬送する。
【００４２】
〈処理液付与部〉
処理液付与部１４は、用紙Ｐの表面（画像記録面）に所定の処理液を付与する。この処理液付与部１４は、主として、用紙Ｐを搬送する処理液付与ドラム４２と、処理液付与ドラム４２によって搬送される用紙Ｐの印刷面に所定の処理液を付与する処理液付与ユニット４４とで構成される。用紙Ｐの表面に付与する処理液は、後段の画像記録部１１８で用紙Ｐに打滴する水性ＵＶインク中の色材（顔料）を凝集させる機能を有する凝集剤である。このような処理液を用紙Ｐの表面に付与して水性ＵＶインクを打滴することにより、汎用の印刷用紙を用いた場合であっても、着弾干渉等を起こすことなく、高品位な印刷を行うことができる。
【００４３】
処理液付与ドラム４２は、給紙部１２の給紙ドラム４０から用紙Ｐを受け取り、処理液乾燥処理部１６へと用紙Ｐを搬送する。処理液付与ドラム４２は、円筒状に形成され、図示しないモータに駆動されて回転する。処理液付与ドラム４２の外周面上には、グリッパ４２Ａが備えられ、このグリッパ４２Ａによって用紙Ｐの先端が把持される。処理液付与ドラム４２は、このグリッパ４２Ａによって用紙Ｐの先端を把持して回転することにより、用紙Ｐを外周面に巻き掛けながら、処理液乾燥処理部１６へと用紙Ｐを搬送する（１回転で１枚の用紙Ｐを搬送する。）。処理液付与ドラム４２と給紙ドラム４０は、互いの用紙Ｐの受け取りと受け渡しのタイミングが合うように、回転が制御される。すなわち、同じ周速度となるように駆動されるとともに、互いのグリッパの位置が合うように駆動される。
【００４４】
処理液付与ユニット４４は、処理液付与ドラム４２によって搬送される用紙Ｐの表面に処理液をローラ塗布する。この処理液付与ユニット４４は、主として、用紙Ｐに処理液を塗布する塗布ローラ４４Ａと、処理液が貯留される処理液槽４４Ｂと、処理液槽４４Ｂに貯留された処理液を汲み上げて、塗布ローラ４４Ａに供給する汲み上げローラ４４Ｃとで構成される。
【００４５】
〈処理液乾燥処理部〉
処理液乾燥処理部１６は、表面に処理液が付与された用紙Ｐを乾燥処理する。この処理液乾燥処理部１６は、主として、用紙Ｐを搬送する処理液乾燥処理ドラム４６と、用紙搬送ガイド４８と、処理液乾燥処理ドラム４６によって搬送される用紙Ｐの印刷面に乾燥風（乾燥風）を吹き当てて乾燥させる処理液乾燥処理ユニット５０とで構成される。
【００４６】
処理液乾燥処理ドラム４６は、処理液付与部１４の処理液付与ドラム４２から用紙Ｐを受け取り、画像記録部１１８へと用紙Ｐを搬送する。処理液乾燥処理ドラム４６は、円筒状に組んだ枠体で構成され、図示しないモータに駆動されて回転する。処理液乾燥処理ドラム４６の外周面上には、グリッパ４６Ａが備えられ、このグリッパ４６Ａによって用紙Ｐの先端が把持される。処理液乾燥処理ドラム４６は、このグリッパ４６Ａによって用紙Ｐの先端を把持して回転することにより、画像記録部１１８に用紙Ｐを搬送する。なお、本例の処理液乾燥処理ドラム４６は、外周面上の２カ所にグリッパ４２Ａが配設され、１回の回転で２枚の用紙Ｐが搬送できるように構成されている。処理液乾燥処理ドラム４６と処理液付与ドラム４２は、互いの用紙Ｐの受け取りと受け渡しのタイミングが合うように、回転が制御される。すなわち、同じ周速度となるように駆動されるとともに、互いのグリッパの位置が合うように駆動される。
【００４７】
用紙搬送ガイド４８は、処理液乾燥処理ドラム４６による用紙Ｐの搬送経路に沿って配設され、用紙Ｐの搬送をガイドする。
【００４８】
処理液乾燥処理ユニット５０は、処理液乾燥処理ドラム４６の内側に設置され、処理液乾燥処理ドラム４６によって搬送される用紙Ｐの表面に向けて乾燥風を吹き当てて乾燥処理する。これにより、処理液中の溶媒成分が除去されて用紙Ｐの表面にインク凝集層が形成される。本例では、２台の処理液乾燥処理ユニット５０が、処理液乾燥処理ドラム内に配設され、処理液乾燥処理ドラム４６によって搬送される用紙Ｐの表面に向けて乾燥風を吹き当てる構成とされている。
【００４９】
〈画像記録部〉
画像記録部１１８は、用紙Ｐの印刷面にＭ，Ｋ，Ｙ，Ｃの各色の水性紫外線硬化型色インク（水性ＵＶインク）の液滴を打滴して、用紙Ｐの印刷面にカラー画像を描画する。この画像記録部１１８は、主として、用紙Ｐを搬送する画像記録ドラム５２と、画像記録ドラム５２によって搬送される用紙Ｐを押圧して、用紙Ｐを画像記録ドラム５２の外周面に密着させる用紙押さえローラ５４と、用紙ＰにＭ，Ｋ，Ｙ，Ｃの各色のインク滴を吐出する吐出ヘッドの一例としてのインクジェットヘッド５６Ｍ，５６Ｋ，５６Ｃ，５６Ｙと、用紙Ｐに記録された画像を読み取るインラインセンサ５８と、インクミストを捕捉するミストフィルタ６０と、ドラム冷却ユニット６２とで構成される。なお、上記のように、各インクジェットヘッド５６Ｍ，５６Ｋ，５６Ｃ，５６Ｙから吐出させるインクは、水性ＵＶインクが用いられる。水性ＵＶインクは、打滴後に紫外線（ＵＶ）を照射することにより、硬化させることができる。
【００５０】
画像記録ドラム５２は、処理液乾燥処理部１６の処理液乾燥処理ドラム４６から用紙Ｐを受け取り、インク乾燥処理部２０へと用紙Ｐを搬送する。画像記録ドラム５２は、円筒状に形成され、図示しないモータに駆動されて回転する。画像記録ドラム５２の外周面５２Ａ上には、グリッパ５２Ｂが備えられ、このグリッパ５２Ｂによって用紙Ｐの先端が把持される。画像記録ドラム５２は、このグリッパ５２Ｂによって用紙Ｐの先端を把持して回転することにより、用紙Ｐを搬送面としての外周面５２Ａに巻き掛けながら、インク乾燥処理部２０へと用紙Ｐを搬送する。また、画像記録ドラム５２は、その外周面５２Ａに多数の吸引穴（図示せず）が所定のパターンで形成される。画像記録ドラム５２の外周面５２Ａに巻き掛けられた用紙Ｐは、この吸引穴から吸引されることにより、画像記録ドラム５２の外周面に吸着保持されながら搬送される。これにより、高い平滑性をもって用紙Ｐを搬送することができる。
【００５１】
なお、この吸引穴からの吸引は一定の範囲でのみ作用し、所定の吸引開始位置から所定の吸引終了位置との間で作用する。吸引開始位置は、用紙押さえローラ５４の設置位置に設定され、吸引終了位置は、インラインセンサ５８の設置位置の下流側に設定される（たとえば、インク乾燥処理部２０に用紙を受け渡す位置に設定される。）。すなわち、少なくともインクジェットヘッド５６Ｍ，５６Ｋ，５６Ｃ，５６Ｙの設置位置（画像記録位置）とインラインセンサ５８の設置位置（画像読取位置）では、用紙Ｐが画像記録ドラム５２の周面に吸着保持されるように設定される。
【００５２】
なお、用紙Ｐを画像記録ドラム５２の周面に吸着保持させる機構は、上記の負圧による吸着方法に限らず、静電吸着による方法を採用することもできる。
【００５３】
また、本例の画像記録ドラム５２は、外周面上の２カ所にグリッパ５２Ｂが配設され、１回の回転で２枚の用紙Ｐが搬送できるように構成されている。画像記録ドラム５２と処理液乾燥処理ドラム４６は、互いの用紙Ｐの受け取りと受け渡しのタイミングが合うように、回転が制御される。すなわち、同じ周速度となるように駆動されるとともに、互いのグリッパの位置が合うように駆動される。なお、グリッパ５２Ｂ周りの画像記録ドラム５２の詳細については、後述する。
【００５４】
用紙押さえローラ５４は、画像記録ドラム５２の用紙受取位置（処理液乾燥処理ドラム４６から用紙Ｐを受け取る位置）の近傍に配設される。この用紙押さえローラ５４は、ゴムローラで構成され、画像記録ドラム５２の周面に押圧当接させて設置される。処理液乾燥処理ドラム４６から画像記録ドラム５２に受け渡された用紙Ｐは、この用紙押さえローラ５４を通過することによりニップされ、画像記録ドラム５２の周面に密着させられる。
【００５５】
４台のインクジェットヘッド５６Ｍ，５６Ｋ，５６Ｃ，５６Ｙは、画像記録ドラム５２による用紙Ｐの搬送経路に沿って一定の間隔をもって配置される。
各インクジェットヘッド５６Ｍ，５６Ｋ，５６Ｃ，５６Ｙは、用紙幅に対応したラインヘッドで構成され、ノズル面が画像記録ドラム５２の外周面５２Ａに対向するように配置される。これら各インクジェットヘッド５６Ｍ，５６Ｋ，５６Ｃ，５６Ｙは、ノズル面に形成されたノズル列から、画像記録ドラム５２に向けて水性ＵＶインクの液滴を吐出することにより、画像記録ドラム５２によって搬送される用紙Ｐに画像を記録する。
【００５６】
インラインセンサ５８は、画像記録ドラム５２による用紙Ｐの搬送方向に対して、最後尾のインクジェットヘッド５６Ｋの下流側に設置され、インクジェットヘッド５６Ｍ、５６Ｋ、５６Ｃ、５６Ｙで記録された画像を読み取る。このインラインセンサ５８は、たとえば、ラインスキャナで構成され、画像記録ドラム５２によって搬送される用紙Ｐからインクジェットヘッド５６Ｍ，５６Ｋ，５６Ｃ，５６Ｙによって記録された画像を読み取る。
【００５７】
なお、インラインセンサ５８の下流側には、インラインセンサ５８に近接して接触防止板５９が設置される。この接触防止板５９は、搬送の不具合等によって用紙Ｐに浮きが生じた場合に、用紙Ｐがインラインセンサ５８に接触するのを防止する。
【００５８】
ミストフィルタ６０は、最後尾のインクジェットヘッド５６Ｙとインラインセンサ５８との間に配設され、画像記録ドラム５２の周辺の空気を吸引してインクミストを捕捉する。このように、画像記録ドラム５２の周辺の空気を吸引してインクミストを捕捉することにより、インラインセンサ５８へのインクミストの進入を防止でき、読み取り不良等の発生を防止できる。
【００５９】
ドラム冷却ユニット６２は、画像記録ドラム５２に冷風を吹き当てて、画像記録ドラム５２を冷却する。このドラム冷却ユニット６２は、主として、エアコン（図示せず）と、そのエアコンから供給される冷気を画像記録ドラム５２の周面に吹き当てるダクト６２Ａとで構成される。ダクト６２Ａは、画像記録ドラム５２に対して、用紙Ｐの搬送領域以外の領域に冷気を吹き当てて、画像記録ドラム５２を冷却する。本例では、画像記録ドラム５２のほぼ上側半分の円弧面に沿って用紙Ｐが搬送されるので、ダクト６２Ａは、画像記録ドラム５２のほぼ下側半分の領域に冷気を吹き当てて、画像記録ドラム５２を冷却する構成とされている。具体的には、ダクト６２Ａの吹出口が、画像記録ドラム５２のほぼ下側半分を覆うように円弧状に形成され、画像記録ドラム５２のほぼ下側半分の領域に冷気が吹き当てられる構成とされている。
【００６０】
〈インク乾燥処理部〉
インク乾燥処理部２０は、画像記録後の用紙Ｐを乾燥処理し、用紙Ｐの記録面に残存する液体成分を除去する。インク乾燥処理部２０は、主として、画像が記録された用紙Ｐを搬送するチェーングリッパ６４と、チェーングリッパ６４によって搬送される用紙Ｐにバックテンションを付与するバックテンション付与手段の一例としてのバックテンション付与機構６６と、チェーングリッパ６４によって搬送される用紙Ｐを乾燥処理する乾燥ユニットの一例としてのインク乾燥処理ユニット６８とで構成される。
【００６１】
チェーングリッパ６４は、インク乾燥処理部２０、ＵＶ照射処理部２２、排紙部２４において共通して使用される用紙搬送機構であり、画像記録部１１８から受け渡された用紙Ｐを受け取って、排紙部２４まで搬送する。
【００６２】
このチェーングリッパ６４は、主として、画像記録ドラム５２に近接して設置される第１スプロケット６４Ａと、排紙部２４に設置される第２スプロケット６４Ｂと、第１スプロケット６４Ａと第２スプロケット６４Ｂとに巻き掛けられる無端状のチェーン６４Ｃと、チェーン６４Ｃの走行をガイドする複数のチェーンガイド（図示せず）と、チェーン６４Ｃに一定の間隔をもって取り付けられる複数のグリッパ６４Ｄとで構成される。第１スプロケット６４Ａと、第２スプロケット６４Ｂと、チェーン６４Ｃと、チェーンガイドとは、それぞれ一対で構成され、用紙Ｐの幅方向の両側に配設される。グリッパ６４Ｄは、一対で設けられるチェーン６４Ｃに掛け渡されて設置される。
【００６３】
第１スプロケット６４Ａは、画像記録ドラム５２から受け渡される用紙Ｐをグリッパ６４Ｄで受け取ることができるように、画像記録ドラム５２に近接して設置される。この第１スプロケット６４Ａは、図示しない軸受に軸支されて、回転自在に設けられるとともに、図示しないモータが連結される。第１スプロケット６４Ａ及び第２スプロケット６４Ｂに巻き掛けられるチェーン６４Ｃは、このモータを駆動することにより走行する。
【００６４】
第２スプロケット６４Ｂは、画像記録ドラム５２から受け取った用紙Ｐを排紙部２４で回収できるように、排紙部２４に設置される。すなわち、この第２スプロケット６４Ｂの設置位置が、チェーングリッパ６４による用紙Ｐの搬送経路の終端とされる。この第２スプロケット６４Ｂは、図示しない軸受に軸支されて、回転自在に設けられる。
【００６５】
チェーン６４Ｃは、無端状に形成され、第１スプロケット６４Ａと第２スプロケット６４Ｂとに巻き掛けられる。
【００６６】
チェーンガイドは、所定位置に配置されて、チェーン６４Ｃが所定の経路を走行するようにガイドする（＝用紙Ｐが所定の搬送経路を走行して搬送されるようにガイドする。）。本例のインクジェット記録装置１０では、第２スプロケット６４Ｂが第１スプロケット６４Ａよりも高い位置に配設される。このため、チェーン６４Ｃが、途中で傾斜するような走行経路が形成される。具体的には、第１水平搬送経路７０Ａと、傾斜搬送経路７０Ｂと、第２水平搬送経路７０Ｃとで構成される。
【００６７】
第１水平搬送経路７０Ａは、第１スプロケット６４Ａと同じ高さに設定され、第１スプロケット６４Ａに巻き掛けられたチェーン６４Ｃが、水平に走行するように設定される。第２水平搬送経路７０Ｃは、第２スプロケット６４Ｂと同じ高さに設定され、第２スプロケット６４Ｂに巻き掛けられたチェーン６４Ｃが、水平に走行するように設定される。傾斜搬送経路７０Ｂは、第１水平搬送経路７０Ａと第２水平搬送経路７０Ｃとの間に設定され、第１水平搬送経路７０Ａと第２水平搬送経路７０Ｃとの間を結ぶように設定される。
【００６８】
チェーンガイドは、この第１水平搬送経路７０Ａと、傾斜搬送経路７０Ｂと、第２水平搬送経路７０Ｃとを形成するように配設される。具体的には、少なくとも第１水平搬送経路７０Ａと傾斜搬送経路７０Ｂとの接合ポイント、及び、傾斜搬送経路７０Ｂと第２水平搬送経路７０Ｃとの接合ポイントに配設される。
【００６９】
グリッパ６４Ｄは、チェーン６４Ｃに一定の間隔をもって複数取り付けられる。このグリッパ６４Ｄの取り付け間隔は、画像記録ドラム５２からの用紙Ｐの受け取り間隔に合わせて設定される。すなわち、画像記録ドラム５２から順次受け渡される用紙Ｐをタイミングを合わせて画像記録ドラム５２から受け取ることができるように、画像記録ドラム５２からの用紙Ｐの受け取り間隔に合わせて設定される。
【００７０】
チェーングリッパ６４は、以上のように構成される。上記のように、第１スプロケット６４Ａに接続されたモータ（図示せず）を駆動すると、チェーン６４Ｃが走行する。チェーン６４Ｃは、画像記録ドラム５２の周速度と同じ速度で走行する。また、画像記録ドラム５２から受け渡される用紙Ｐが、各グリッパ６４Ｄで受け取れるようにタイミングが合わせられる。
【００７１】
バックテンション付与機構６６は、チェーングリッパ６４によって先端を把持されながら搬送される用紙Ｐにバックテンションを付与する。このバックテンション付与機構６６は、主として、ガイドプレート７２と、そのガイドプレート７２の上面に形成される多数の吸引穴から空気を吸引する複数の吸引ファン７３と、を備えている。また、ガイドプレート７２の下面には、吸引した空気を吐き出すための多数の穴が設けられている。
【００７２】
ガイドプレート７２は、用紙幅に対応した幅を有する中空状のボックスプレートで構成される。このガイドプレート７２は、チェーングリッパ６４による用紙Ｐの搬送経路（＝チェーンの走行経路）に沿って配設される。具体的には、第１水平搬送経路７０Ａと傾斜搬送経路７０Ｂとを走行するチェーン６４Ｃに沿って配設され、チェーン６４Ｃから所定距離離間して配設される。チェーングリッパ６４によって搬送される用紙Ｐは、その裏面（画像が記録されていない側の面）が、このガイドプレート７２の上面（チェーン６４Ｃと対向する面：摺接面）の上を摺接しながら搬送される。
【００７３】
ガイドプレート７２の摺接面（上面）には、多数の吸引穴が所定のパターンで多数形成される。上記のように、ガイドプレート７２は、中空のボックスプレートで形成される。吸引ファン７３は、このガイドプレート７２の中空部（内部）を吸引する。これにより、摺接面に形成された吸引穴から空気が吸引される。
【００７４】
ガイドプレート７２の吸引穴から空気が吸引されることにより、チェーングリッパ６４によって搬送される用紙Ｐの裏面が吸引穴に吸引される（ガイドプレート７２に吸着する）。これにより、チェーングリッパ６４によって搬送される用紙Ｐにバックテンションが付与される。
【００７５】
上記のように、ガイドプレート７２は、第１水平搬送経路７０Ａと傾斜搬送経路７０Ｂとを走行するチェーン６４Ｃに沿って配設されるので、第１水平搬送経路７０Ａと傾斜搬送経路７０Ｂとを搬送されている間、バックテンションが付与される。なお、本実施形態では、吸引ファン７３を省略して、バックテンションを付与しないようにすることも可能である。
【００７６】
インク乾燥処理ユニット６８は、チェーングリッパ６４の内部（特に第１水平搬送経路７０Ａを構成する部位の前半側及び後半側）に設置され、第１水平搬送経路７０Ａを搬送される用紙Ｐに対して乾燥処理を施す。
また、インク乾燥処理ユニット６８は、第１水平搬送経路７０Ａに沿って複数台配置されている。
【００７７】
〈ＵＶ照射処理部〉
ＵＶ照射処理部２２は、水性ＵＶインクを用いて記録された画像に紫外線（ＵＶ）を照射して、画像を定着させる。このＵＶ照射処理部２２は、主として、用紙Ｐを搬送するチェーングリッパ６４と、チェーングリッパ６４によって搬送される用紙Ｐにバックテンションを付与するバックテンション付与機構６６と、チェーングリッパ６４によって搬送される用紙Ｐに紫外線を照射する定着ユニットの一例としてのＵＶ照射ユニット７４とで構成される。
【００７８】
上記のように、チェーングリッパ６４とバックテンション付与機構６６は、インク乾燥処理部２０、排紙部２４と共に共通して使用される。
【００７９】
ＵＶ照射ユニット７４は、チェーングリッパ６４の内部（特に傾斜搬送経路７０Ｂを構成する部位）に設置され、傾斜搬送経路７０Ｂを搬送される用紙Ｐの記録面に紫外線を照射する。このＵＶ照射ユニット７４は、紫外線ランプ（ＵＶランプ）を備え、傾斜搬送経路７０Ｂに沿って複数配設される。そして、傾斜搬送経路７０Ｂを搬送される用紙Ｐの記録面に向けて紫外線を照射する。
【００８０】
〈排紙部〉
排紙部２４は、一連の画像記録処理が行われた用紙Ｐを回収する。この排紙部２４は、主として、ＵＶ照射された用紙Ｐを搬送するチェーングリッパ６４と、用紙Ｐを積み重ねて回収する排紙台７６とで構成される。
【００８１】
上記のように、チェーングリッパ６４は、インク乾燥処理部２０及びＵＶ照射処理部２２と共に共通して使用される。チェーングリッパ６４は、排紙台７６の上で用紙Ｐを開放し、排紙台７６の上に用紙Ｐをスタックさせる。
【００８２】
排紙台７６は、チェーングリッパ６４から開放された用紙Ｐを積み重ねて回収する。この排紙台７６には、用紙Ｐが整然と積み重ねられるように、用紙当て（前用紙当て、後用紙当て、横用紙当て等）が備えられる（図示せず）。
【００８３】
また、排紙台７６は、図示しない排紙台昇降装置によって昇降可能に設けられる。排紙台昇降装置は、排紙台７６にスタックされる用紙Ｐの増減に連動して、その駆動が制御され、最上位に位置する用紙Ｐが常に一定の高さに位置するように、排紙台７６を昇降させる。
【００８４】
−−画像記録ドラム５２の詳細−−
次に、画像記録ドラム５２の詳細について説明する。図２は、図１に示す画像記録ドラム５２を垂直面で切断した側面拡大図である。図３は、図２に示す矢印Ａ方向から見た画像記録ドラム５２の斜視図である。
【００８５】
画像記録ドラム５２は、上述したように、搬送面としての外周面５２Ａに吸着保持される用紙Ｐの先端部を挟持するグリッパ５２Ｂを有している。このグリッパ５２Ｂは、画像記録ドラム５２の回転軸８０をはさんだ２か所の対称位置のそれぞれに設けられており、画像記録ドラム５２は二カ所の用紙保持領域８２（領域の範囲は図２中の矢印で示す範囲の外周面幅全体である）を有している。
【００８６】
各グリッパ５２Ｂには、グリッパ５２Ｂを開閉させるグリッパ動作機構５２Ｃがそれぞれ接続されている。
【００８７】
これらグリッパ５２Ｂとグリッパ動作機構５２Ｃは、画像記録ドラム５２の回転の邪魔とならないように、外周面５２Ａの用紙保持領域８２外に形成された凹部８４内に配置されている。しかしながら、このグリッパ５２Ｂの先端は、用紙Ｐを把持した状態で凹部８４から外周面５２Ａの外側に突出している。したがって、突出したグリッパ５２Ｂが用紙押さえローラ５４の配設位置を通過する際の用紙押さえローラ５４との衝突を回避するために、用紙押さえローラ５４を画像記録ドラム５２から離間させる機構としてカム部５２Ｄが設けられている（図３参照）。
【００８８】
グリッパ５２Ｂ等が配置される凹部８４は、矢印Ａ方向から見たとき、図３に示すように画像記録ドラム５２の幅方向Ｗ１に長い長方形状とされている。
【００８９】
凹部８４内には、グリッパ５２Ｂとグリッパ動作機構５２Ｃの動作の邪魔とならないように、幅方向Ｗ１に沿って複数個（図３では６個）のプロペラファン８６が配置されている。
【００９０】
プロペラファン８６は、インクジェットヘッド５６Ｍ，５６Ｋ，５６Ｃ，５６Ｙのノズル面５６Ｍｎ，５６Ｋｎ，５６Ｃｎ，５６Ｙｎに風を吹き付けて、外周面５２Ａとノズル面５６Ｍｎ，５６Ｋｎ，５６Ｃｎ，５６Ｙｎの間の空気を除湿するものである。このプロペラファン８６は、画像記録ドラム５２にネジ等で接続固定されており、当該画像記録ドラム５２と共に回転軸８０周りを回転（周回）する。
【００９１】
−−作用−−
次に、本発明の第１実施形態に係るインクジェット記録装置１０の作用について説明する。図４（Ａ）〜図４（Ｆ）は、本発明の第１実施形態に係るインクジェット記録装置１０の作用について、図１に示す画像記録ドラム５２を垂直面で切断した側面拡大図を用いて説明する一連の説明図である。
【００９２】
図４（Ａ）に示すように、画像記録ドラム５２は、処理液乾燥処理部１６の処理液乾燥処理ドラム４６から用紙Ｐを受け取ると、用紙Ｐを保持しつつ回転軸８０周りに矢印Ｂ方向に回転して、インク乾燥処理部２０へ向かって用紙Ｐの搬送を開始する。この際、プロペラファン８６は、印刷ジョブの開始から終了まで常時動作している。
【００９３】
次に、図４（Ｂ）に示すように、プロペラファン８６は画像記録ドラム５２と共に回転して、インクジェットヘッド５６Ｍの下方（直下）を通る。この際、外周面５２Ａの凹部８４にあるプロペラファン８６がインクジェットヘッド５６Ｍと対向してそのノズル面５６Ｍｎに風Ｗ２を吹き付ける。
【００９４】
次に、図４（Ｃ）に示すように、プロペラファン８６は画像記録ドラム５２と共に回転して、インクジェットヘッド５６Ｋの下方（直下）を通る。この際、外周面５２Ａの凹部８４にあるプロペラファン８６がインクジェットヘッド５６Ｋと対向してそのノズル面５６Ｋｎに風Ｗ２を吹き付ける。
【００９５】
次に、図４（Ｄ）に示すように、プロペラファン８６は画像記録ドラム５２と共に回転して、インクジェットヘッド５６Ｃの下方（直下）を通る。この際、外周面５２Ａの凹部８４にあるプロペラファン８６がインクジェットヘッド５６Ｃと対向してそのノズル面５６Ｃｎに風Ｗ２を吹き付ける。
【００９６】
次に、図４（Ｅ）に示すように、プロペラファン８６は画像記録ドラム５２と共に回転して、インクジェットヘッド５６Ｙの下方（直下）を通る。この際、外周面５２Ａの凹部８４にあるプロペラファン８６がインクジェットヘッド５６Ｙと対向してそのノズル面５６Ｙｎに風Ｗ２を吹き付ける。
【００９７】
次に、図４（Ｆ）に示すように、プロペラファン８６は画像記録ドラム５２と共に回転して、インクジェットヘッド５６Ｍ，５６Ｋ，５６Ｃ，５６Ｙから離れ、且つ、用紙Ｐがインク乾燥処理部２０に渡される。なお、このインク乾燥処理部２０に渡される用紙Ｐには、各インクジェットヘッド５６Ｍ，５６Ｋ，５６Ｃ，５６Ｙのノズル面５６Ｍｎ，５６Ｋｎ，５６Ｃｎ，５６Ｙｎから、適宜、回転中の画像記録ドラム５２に向けて水性ＵＶインクが吐出され、画像記録ドラム５２によって搬送される用紙Ｐに画像が記録されている。
そして、印刷ジョブが残っている場合、印刷ジョブが終了するまで、上記説明した図４（Ａ）〜（Ｆ）の動作が繰り返し行われ、プロペラファン８６が、インクジェットヘッド５６Ｍ，５６Ｋ，５６Ｃ，５６Ｙのノズル面５６Ｍｎ，５６Ｋｎ，５６Ｃｎ，５６Ｙｎの下方を行き来する。
【００９８】
以上、本発明の第１実施形態に係るインクジェット記録装置１０によれば、プロペラファン８６が画像記録ドラム５２と共に回転して、順次、インクジェットヘッド５６Ｍ，５６Ｋ，５６Ｃ，５６Ｙと対向してこれらのノズル面５６Ｍｎ，５６Ｋｎ，５６Ｃｎ，５６Ｙｎに風Ｗ２を吹き付ける。これにより、これらの間に水性ＵＶインクの吐出直後に蒸発した水分を含む空気が留まっていても、風Ｗ２を吹き付けることによって、その空気を周囲へ吹き飛ばすことができる。この吹き飛ばしにより、外周面５２Ａとノズル面５６Ｍｎ，５６Ｋｎ，５６Ｃｎ，５６Ｙｎの間の空気を十分に除湿でき、これらノズル面５６Ｍｎ，５６Ｋｎ，５６Ｃｎ，５６Ｙｎが結露することを抑制できる。
【００９９】
また、プロペラファン８６が画像記録ドラム５２と共に回転するため、印刷ジョブ中にインクジェットヘッド５６Ｍ，５６Ｋ，５６Ｃ，５６Ｙのノズル面５６Ｍｎ，５６Ｋｎ，５６Ｃｎ，５６Ｙｎの下方をプロペラファン８６が行き来する。これにより、印刷ジョブ中にプロペラファン８６のオン／オフ制御を切り替えることなく、外周面５２Ａとインクジェットヘッド５６Ｍ，５６Ｋ，５６Ｃ，５６Ｙの間の除湿のオン／オフを行うことができ、常に除湿を行うことによるノズル面５６Ｍｎ，５６Ｋｎ，５６Ｃｎ，５６Ｙｎの過乾燥を抑制できる。
また、プロペラファン８６が画像記録ドラム５２と共に回転するため、ノズル面５６Ｍｎ，５６Ｋｎ，５６Ｃｎ，５６Ｙｎ毎にプロペラファン８６を設けなくても、各ノズル面５６Ｍｎ，５６Ｋｎ，５６Ｃｎ，５６Ｙｎに風Ｗ２を吹き付けることができる。すなわち、用紙Ｐの搬送方向には複数のプロペラファンを設けたり、大型のプロペラファンを設けなくてよい。
【０１００】
また、このプロペラファン８６が、外周面５２Ａの用紙保持領域８２外に設けられているため、インクジェットヘッド５６Ｍ，５６Ｋ，５６Ｃ，５６Ｙから用紙Ｐに水性ＵＶインクが吐出されない間に、プロペラファン８６が回転によりインクジェットヘッド５６Ｍ，５６Ｋ，５６Ｃ，５６Ｙに対向してこのノズル面５６Ｍｎ，５６Ｋｎ，５６Ｃｎ，５６Ｙｎに風Ｗ２を吹き付けることができる。そして、インクジェットヘッド５６Ｍ，５６Ｋ，５６Ｃ，５６Ｙから用紙Ｐに水性ＵＶインクが吐出されている間は、プロペラファン８６が回転によりインクジェットヘッド５６Ｍ，５６Ｋ，５６Ｃ，５６Ｙに対向せず、このノズル面５６Ｍｎ，５６Ｋｎ，５６Ｃｎ，５６Ｙｎに風Ｗ２を吹き付けないため、風Ｗ２によって水性ＵＶインクの用紙Ｐへ着弾位置が乱れることを抑制できる。
なお、ノズル面５６Ｍｎ，５６Ｋｎ，５６Ｃｎ，５６Ｙｎの何れかに風を吹き付ける際であっても、プロペラファン８６が対向していない少なくとも１つのノズル面５６Ｍｎ，５６Ｋｎ，５６Ｃｎ，５６Ｙｎからは水性ＵＶインクが吐出される場合があるが（例えば、ノズル面５６Ｙｎに風Ｗ２を吹き付ける際に、ノズル面５６Ｍｎからは水性ＵＶインクが吐出される場合等）、風Ｗ２を吹き付けるノズル面５６Ｍｎ，５６Ｋｎ，５６Ｃｎ，５６Ｙｎからは、水性ＵＶインクが吐出されないので、上記着弾位置が乱れ難い。
【０１０１】
また、プロペラファン８６は、グリッパ５２Ｂが設けられた凹部８４内に配置されているため、プロペラファン８６が画像記録ドラム５２の回転の邪魔となることを防止できる。また、この凹部８４は、グリッパ５２Ｂが設けられるためのものであるため、プロペラファン８６用に新たに凹部を形成する必要がない。
【０１０２】
（第２実施形態）
次に、本発明の第２実施形態に係るインクジェット記録装置について説明する。
【０１０３】
本発明の第２実施形態に係るインクジェット記録装置は、画像記録ドラム以外、図１に示すインクジェット記録装置１０と同一の構成を有している。図５は、本発明の第２実施形態に係るインクジェット記録装置の画像記録ドラム９０の斜視図である。
【０１０４】
画像記録ドラム９０は、画像記録ドラム５２と同様、外周面５２Ａ、グリッパ５２Ｂ、グリッパ動作機構５２Ｃ（図５では不図示）、カム部５２Ｄ、及び凹部８４を有している。
【０１０５】
この凹部８４には、第１実施形態で説明したプロペラファン８６の代わりに、幅方向Ｗ１に長い穴あきパイプ９２が配置されている。この穴あきパイプ９２の周面には、穴９４が幅方向Ｗ１に沿って複数形成され、画像記録ドラム５２の径方向外側に向かっている。
【０１０６】
これらの穴９４からは、画像記録ドラム５２の径方向外側に向かって風Ｗ２が吹き出されるようになっている。
【０１０７】
以上、本発明の第２実施形態に係るインクジェット記録装置によれば、第１実施形態と同様に、穴あきパイプ９２が画像記録ドラム５２と共に回転して、順次、インクジェットヘッド５６Ｍ，５６Ｋ，５６Ｃ，５６Ｙと対向してこれらのノズル面５６Ｍｎ，５６Ｋｎ，５６Ｃｎ，５６Ｙｎに風Ｗ２を吹き付ける。これにより、穴あきパイプ９２が、外周面５２Ａとノズル面５６Ｍｎ，５６Ｋｎ，５６Ｃｎ，５６Ｙｎの間の空気を十分に除湿でき、これらノズル面５６Ｍｎ，５６Ｋｎ，５６Ｃｎ，５６Ｙｎが結露することを抑制できる。
【０１０８】
（第３実施形態）
次に、本発明の第３実施形態に係るインクジェット記録装置について説明する。
【０１０９】
本発明の第３実施形態に係るインクジェット記録装置は、画像記録ドラム以外、図１に示すインクジェット記録装置１０と同一の構成を有している。図６（Ａ）は、本発明の第３実施形態に係るインクジェット記録装置の画像記録ドラム９６の一部を切り欠いた斜視図である。図６（Ｂ）は、本発明の第３実施形態に係るインクジェット記録装置の画像記録ドラム９６の側面断面図である。
【０１１０】
画像記録ドラム９６は、画像記録ドラム５２と同様、外周面５２Ａ、グリッパ５２Ｂ、グリッパ動作機構５２Ｃ（図６では不図示）、カム部５２Ｄ、及び凹部８４を有している。
【０１１１】
この凹部８４には、第２実施形態と同様の穴あきパイプ９２が配置されている。なお、この穴あきパイプ９２に形成された穴９４から噴出される風Ｗ２は、周囲の温度より低い冷風であることが好ましい。
【０１１２】
この穴あきパイプ９２に対して画像記録ドラム５２の径方向外側には、グリッパ５２Ｂの突出部分を除いて凹部８４を覆うように冷却板９８が設けられている。冷却板９８は、周囲の部材、例えばノズル面５６Ｍｎ，５６Ｋｎ，５６Ｃｎ，５６Ｙｎや画像記録ドラム５２よりも熱伝導性の高い材料が用いられ、例えばアルミニウムや銅等の金属材料を用いられる。また、この冷却板９８は、穴あきパイプ９２からの風Ｗ２により冷却される。
【０１１３】
また、冷却板９８の周囲（冷却板９８自体を含む）、例えば矢印Ｂ方向（回転方向）とは逆方向の冷却板９８の端部には、スポンジ等の吸水部材１００が設けられている。
【０１１４】
以上、本発明の第３実施形態に係るインクジェット記録装置によれば、穴あきパイプ９２と冷却板９８が画像記録ドラム５２と共に回転して、順次、インクジェットヘッド５６Ｍ，５６Ｋ，５６Ｃ，５６Ｙと対向する。そして、これらと順次対向したとき、穴あきパイプ９２により冷却された冷却板９８に、外周面５２Ａとノズル面５６Ｍｎ，５６Ｋｎ，５６Ｃｎ，５６Ｙｎの間の空気中の水分を結露させることができる。これにより、外周面５２Ａとノズル面５６Ｍｎ，５６Ｋｎ，５６Ｃｎ，５６Ｙｎの間の空気を十分に除湿でき、これらノズル面５６Ｍｎ，５６Ｋｎ，５６Ｃｎ，５６Ｙｎが結露することを抑制できる。
【０１１５】
また、本発明の第３実施形態に係るインクジェット記録装置によれば、穴あきパイプ９２とノズル面５６Ｍｎ，５６Ｋｎ，５６Ｃｎ，５６Ｙｎが対向しても、その間に冷却板９８が存在するため、ノズル面５６Ｍｎ，５６Ｋｎ，５６Ｃｎ，５６Ｙｎに直接風Ｗ２を吹き付けない構成となる。これにより、第１実施形態や第２実施形態の構成に比べて、ノズル面５６Ｍｎ，５６Ｋｎ，５６Ｃｎ，５６Ｙｎの過乾燥や、穴あきパイプ９２と対向していないノズル面５６Ｍｎ，５６Ｋｎ，５６Ｃｎ，５６Ｙｎからの水性ＵＶインクの着弾位置の乱れを抑制できる。
【０１１６】
また、冷却板９８に結露した水分は、冷却板９８の回転によって端部の吸水部材１００に向かって移動し、吸水部材１００によって吸水される。このため、冷却板９８に結露した水分が蒸発して、外周面５２Ａとノズル面５６Ｍｎ，５６Ｋｎ，５６Ｃｎ，５６Ｙｎの間の空気の湿度が高くなることを抑制できる。
【０１１７】
（第４実施形態）
次に、本発明の第４実施形態に係るインクジェット記録装置について説明する。
【０１１８】
本発明の第４実施形態に係るインクジェット記録装置は、画像記録ドラム以外、図１に示すインクジェット記録装置１０と同一の構成を有している。図７は、本発明の第４実施形態に係るインクジェット記録装置の画像記録ドラム１０２の斜視図である。
【０１１９】
画像記録ドラム１０２は、第２実施形態の画像記録ドラム９０と同様、外周面５２Ａ、グリッパ５２Ｂ、グリッパ動作機構５２Ｃ（図７では不図示）、カム部５２Ｄ、及び凹部８４、穴あきパイプ９２を有している。
【０１２０】
凹部８４に隣接し、且つ凹部８４を挟んでグリッパ５２Ｂと反対側にある外周面５２Ａからは、画像記録ドラム１０２の径方向外側に向かって、フィン１０４が突出されている。
【０１２１】
このフィン１０４は、側面視がＬ字状とされ、画像記録ドラム１０２と共に回転して外周面５２Ａとノズル面５６Ｍｎ，５６Ｋｎ，５６Ｃｎ，５６Ｙｎの間の空気を、当該間の外へ掻き出すものである。
【０１２２】
なお、このフィン１０４は、回転する際に、インクジェットヘッド５６Ｍ，５６Ｋ，５６Ｃ，５６Ｙに接触しないように、突出長さが調整されている。また、突出したフィン１０４が用紙押さえローラ５４と接触しないように又は接触しても回転できるように、用紙押さえローラ５４が適宜上下移動するようになっている。
【０１２３】
以上、本発明の第４実施形態によれば、フィン１０４が外周面５２Ａとノズル面５６Ｍｎ，５６Ｋｎ，５６Ｃｎ，５６Ｙｎの間の空気を掻き出すため、穴あきパイプ９２のみ備える第２実施形態の構成に比べて、当該空気をより一層除湿することができる。
【０１２４】
なお、第４実施形態では、穴あきパイプ９２を省略することができる。この場合であっても、フィン１０４が外周面５２Ａとノズル面５６Ｍｎ，５６Ｋｎ，５６Ｃｎ，５６Ｙｎの間の空気を掻き出すため、除湿用の動力源を備えなくても、当該空気を除湿することができる。
【０１２５】
（第５実施形態）
次に、本発明の第５実施形態に係るインクジェット記録装置について説明する。
【０１２６】
図８は、本発明の第５実施形態に係るインクジェット記録装置１１０の概略を示す側面図である。
【０１２７】
本発明の第５実施形態に係るインクジェット記録装置１１０は、主に、平面状の主面（表面）を有する複数（ここでは１０個）のテーブル１１２を所定の間隔を設けつつ周回軌道に沿って移動させるテーブル移動機構１１４と、印刷用紙Ｐをテーブル１１２に供給する給紙部１１６と、移動するテーブル１１２の表面に保持された印刷用紙Ｐに画像を記録する画像記録部１１８と、画像が記録された印刷用紙Ｐを排紙する排紙部１２０と、から構成される。
【０１２８】
テーブル移動機構１１４は、テーブル１１２を外面に設けて画像記録部１１８の下方を回転移動（周回移動）する無端状搬送機構であり、回転可能な一対のスプロケット３２と、このスプロケット１２２に巻回されたチェーン１２４と、チェーン１２４の内側に設けられ、テーブル１１２の吸着孔（不図示）を介して排気を行うことにより、用紙Ｐをテーブル１１２上に吸着保持する吸着ファン１２６と、を含んでいる。画像記録部１１８は、第１実施形態と同一のインクジェットヘッド５６Ｍ，５６Ｋ，５６Ｃ，５６Ｙを有している。
【０１２９】
また、搬送手段としてのテーブル移動機構１１４には、インクジェットヘッド５６Ｍ，５６Ｋ，５６Ｃ，５６Ｙと対向するようにプロペラファン１３０がチェーン１２４の内側で固定されている。このプロペラファン１３０は、インクジェットヘッド５６Ｍ，５６Ｋ，５６Ｃ，５６Ｙのノズル面５６Ｍｎ，５６Ｋｎ，５６Ｃｎ，５６Ｙｎ側に風Ｗ２を吹き付ける。
なお、その他の給紙部１１６や排紙部１２０等の詳細説明は、省略する。
【０１３０】
以上、本発明の第５実施形態に係るインクジェット記録装置１１０によれば、プロペラファン１３０が、テーブル移動機構１１４と共に回転移動するテーブル１１２の間から、ノズル面５６Ｍｎ，５６Ｋｎ，５６Ｃｎ，５６Ｙｎに風Ｗ２を吹き付けることができる。これにより、テーブル移動機構１１４とノズル面５６Ｍｎ，５６Ｋｎ，５６Ｃｎ，５６Ｙｎの間の空気を十分に除湿することができる。
なお、テーブル１１２がテーブル移動機構１１４のチェーン１２４とインクジェットヘッド５６Ｍ，５６Ｋ，５６Ｃ，５６Ｙの間にあるとき、すなわちインクジェットヘッド５６Ｍ，５６Ｋ，５６Ｃ，５６Ｙから用紙Ｐに水性ＵＶインクが吐出されている間は、風Ｗ２がテーブル１１２により遮られるため、ノズル面５６Ｍｎ，５６Ｋｎ，５６Ｃｎ，５６Ｙｎにまで風Ｗ２が吹き付けられない。したがって、風Ｗ２によって水性ＵＶインクの用紙Ｐへの着弾位置が乱れたりすることを抑制できる。
【０１３１】
（変形例）
なお、本発明を複数の実施形態について詳細に説明したが、本発明はかかる実施形態に限定されるものではなく、本発明の範囲内にて他の種々の実施形態が可能であることは当業者にとって明らかである。また、上述の実施形態や下記の変形例は、適宜、組み合わせて実施可能である。
【０１３２】
例えば、第３実施形態で説明した図６に示す穴あきパイプ９２は、除湿部材として機能する冷却板９８があれば、省略することができる。また、この穴あきパイプ９２の代わりとして、プロペラファンを用いてもよい。
【０１３３】
また、図６に示す吸水部材１００は、冷却板９８の周囲の一部にのみ設ける場合を説明したが、冷却板９８の周囲全体に設けてもよい。また、吸水部材１００を冷却板９８の周囲の一部にのみ設ける場合であっても、その場所は限定されない。すなわち、冷却板９８自体又はその近傍に設ければよい。さらに、吸水部材１００は省略することもできる。
【０１３４】
また、フィン１０４は、第４実施形態の画像形成装置に適用する場合を説明したが、第１実施形態、第３実施形態、第５実施形態に適用してもよい。なお、第５実施形態に適用する場合は、テーブル１１２の先端等にフィン１０４を設ける。
【０１３５】
また、第５実施形態で説明したプロペラファン１３０は固定されている場合を説明したが、テーブル１１２の用紙保持領域外に設けるようにしてもよい。これにより、プロペラファン１３０は、第１実施形態のプロペラファン８６と同様、搬送体としてのテーブル１１２と共に回転するようになる。
【符号の説明】
【０１３６】
１０   インクジェット記録装置（画像形成装置）
５２Ｂ グリッパ
５２，９０，９６，１０２    画像記録ドラム（搬送手段、搬送体、回転ドラム）
５２Ａ 外周面（搬送面）
５６Ｍ，５６Ｋ，５６Ｃ，５６Ｙ     インクジェットヘッド（液滴吐出ヘッド）
５６Ｍｎ，５６Ｋｎ，５６Ｃｎ，５６Ｙｎ    ノズル面（吐出面）
８２   用紙保持領域（保持領域）
８４   凹部
８６，１３０  プロペラファン（除湿部材）
９２   穴あきパイプ（除湿部材）
９８   冷却板（除湿部材）
１００ 吸水部材
１０４ フィン（除湿部材）
１１２ テーブル（搬送手段、搬送体）
１１４ テーブル移動機構(搬送手段）
Ｐ     用紙（記録媒体）
【図１】
2014100891.tif 000003
【図２】
2014100891.tif 000004
【図３】
2014100891.tif 000005
【図４】
2014100891.tif 000006
【図５】
2014100891.tif 000007
【図６】
2014100891.tif 000008
【図７】
2014100891.tif 000009
【図８】
2014100891.tif 000010